(57)【特許請求の範囲】
【請求項１】
入力領域の第１の方向に延在する複数の第１電極と、第１の方向に交差する第２の方向
に延在する複数の第２電極とを備えた静電容量型入力装置において、
前記入力領域の外側には、前記複数の第１電極から複数の第１端子まで延在する複数の
第１配線と、前記複数の第２電極から複数の第２端子まで延在する複数の第２配線とが形
成され、前記複数の第１配線は、一つの配線と、該一つの配線の両側に配置され、当該一
つの配線と並列している長さの異なる配線とを含み、前記両側の配線のうち、長さが長い
配線は、長さが短い配線に比して、前記一つの配線との間隔が広く、かつ、当該複数の第
１配線の配列方向の両端の配線のうち、一方の配線の外側には、当該配線との間に寄生容
量を生成する第１補助配線が延在し、当該第１補助配線は、定電位が印加されると共に、
前記第１端子および前記第２端子を間に挟む両側に設けられた２つの端子のうち、一方の
端子から前記入力領域、前記複数の第１配線が延在している領域、および前記複数の第２
配線が延在している領域の外側に沿って他方の端子まで延在していることを特徴とする静
電容量型入力装置。
【請求項２】
前記複数の第１配線は、長さの異なる配線を含み、
当該長さの異なる配線において、配線長が長い配線において配線幅が最小の部分の配線
幅寸法は、配線長が短い配線において配線幅が最小の部分の配線幅寸法に比して広いこと
を特徴とする請求項１に記載の静電容量型入力装置。
【請求項３】
前記複数の第１配線において、当該第１配線の配列方向の両端の配線のうち、他方の配
線の外側には、当該配線との間に寄生容量を生成する第２補助配線が延在していることを
特徴とする請求項１または２に記載の静電容量型入力装置。
【請求項４】
前記複数の第１配線は、前記入力領域の前記複数の第１電極の一方の端から前記入力領
域の端辺に沿うように前記複数の第１端子まで延在し、
前記複数の第１配線の配列方向の両端の配線のうち、前記入力領域とは反対側の配線に
前記第１補助配線が並列し、前記入力領域側の配線に前記第２補助配線が並列しているこ
とを特徴とする請求項３に記載の静電容量型入力装置。
【請求項５】
前記複数の第２配線は、前記表示領域の前記複数の第２電極の両方の端から前記複数の
第２端子まで延在し、
前記複数の第２電極の両方の端のうち、一方の端から延在する前記複数の第２配線は、
他方の端から延在する前記複数の第２配線と長さが異なり、
前記両方の端から延在する前記複数の第２配線のうち、前記配線の長さの長い側の前記
複数の第２配線の外側に前記第１補助配線が延在していることを特徴とする請求項１乃至
３の何れか一項に記載の静電容量型入力装置。
【請求項６】
請求項１乃至５の何れか一項に記載の静電容量型入力装置を備えた入力機能付き表示装
置であって、
前記静電容量型入力装置における入力面とは反対側に画像生成装置が重ねて配置されて
いることを特徴とする入力機能付き表示装置。
【請求項７】
請求項６に記載の入力機能付き表示装置を備えていることを特徴とする電子機器。
【発明の詳細な説明】
【技術分野】
【０００１】
本発明は、指の接触位置を静電容量の変化として検出可能な静電容量型入力装置、入力機能付き表示装置および電子機器に関するものである。
【背景技術】
【０００２】
携帯電話、カーナビゲーション、パーソナルコンピュータ、券売機、銀行の端末などの電子機器では、近年、液晶装置などの表面にタブレット型の入力装置が配置され、液晶装置の画像表示領域に表示された指示画像を参照しながら、この指示画像が表示されている箇所に指などを触れることで、指示画像に対応する情報の入力が行えるものがある。
【０００３】
このような入力装置（タッチパネル）には、抵抗膜型、静電容量型などがあるが、抵抗膜型の入力装置は、フィルムとガラスの２枚構造でフィルムを押下してショートさせる構造のため、動作温度範囲の狭さや、経時変化に弱いという欠点を有している。
【０００４】
これに対して、静電容量型の入力装置は、一枚の基板に透光性導電膜を形成すればよいという利点がある。かかる静電容量型の入力装置では、例えば、互いに交差する方向に電極パターンを延在させて、指などが接触あるいは近接した際、電極間の静電容量が変化することを検知して入力位置を検出する（例えば、特許文献１）。
【０００５】
このような静電容量型の入力装置では、例えば、図９に示すように、基板の面内方向で互いに交差する方向をＸ方向およびＹ方向としたとき、基板の入力領域１０ａに、Ｘ方向に延在する複数の第１透光性電極パターン１１と、Ｙ方向延在する複数の第２透光性電極パターン１２とが形成されており、基板において入力領域１０ａの外側の周辺領域１０ｅには、複数の第１透光性電極パターン１１から延在する複数の第１配線９１１〜９１９が第１信号入出力領域９５０まで互いに並列して延在する第１配線領域９５５と、複数の第２透光性電極パターン１２から延在する複数の第２配線９２１〜９２６、９２９が第２信号入出力領域９６０まで互いに並列して延在する第２配線領域（近距離第２配線領域９６１および遠距離第２配線領域９６２）とが形成されている。なお、図９に示す構成は、本願発明との対比のために本願発明者が案出したものであり、従来技術ではない。
【特許文献１】特開２００５−３３７７７３号公報
【発明の開示】
【発明が解決しようとする課題】
【０００６】
静電容量型入力装置においては、静電容量の変化を検出するため、配線に寄生する容量が配線毎にばらついている場合、検出回路などでの補正では吸収できず、検出感度が著しく低下するという問題があるが、図９に示す構成では、以下に説明する理由から配線に寄生する容量が配線毎にばらついている。
【０００７】
図９に示すように、第１信号入出力領域９５０が、入力領域１０ａに対してＹ方向における一方側に配置されている場合、第１配線領域９５５は、入力領域１０ａのＸ方向における一方の端辺１０ｓから端辺１０ｓに沿うように第１信号入出力領域９５０まで延在している。また、第２信号入出力領域９６０は、入力領域１０ａに対してＹ方向における一方側に配置されているにもかかわらず、多点での指示を検出できるように、入力領域１０ａが、Ｙ方向において第２信号入出力領域９６０側に位置する第１入力領域１０１ａと、Ｙ方向において第２信号入出力領域９６０側とは反対側に位置する第２入力領域１０２ａとに分割されている場合、第２入力領域１０２ａの第２透光性電極パターン１２に接続する複数の第２配線９２１〜９２６は、入力領域１０ａに対して第２信号入出力領域９６０側とは反対側に位置する端辺１０ｔから入力領域１０ａのＸ方向における一方の端辺１０ｕに沿うように第２信号入出力領域９６０まで延在することになる。
【０００８】
このような場合、複数の第１配線９１１〜９１９の間では、配線の長さが大きく相違するため、隣接する配線の間に寄生する容量が第１配線９１１〜９１９毎に大きく相違するという問題点がある。また、第２入力領域１０２ａから延在する複数の第２配線９２１〜９２６でも、配線の長さが大きく相違するため、隣接する配線の間に寄生する容量が第２配線９２１〜９２６毎に大きく相違するという問題点がある。
【０００９】
以上の問題点に鑑みて、本発明の課題は、静電容量の変化によって指示位置を検出するにあたって、配線に寄生する容量の配線毎のばらつきを圧縮することにより、検出感度の向上を図ることのできる静電容量型入力装置、入力機能付き表示装置および電子機器を提供することにある。
【課題を解決するための手段】
【００１０】
上記課題を解決するために、本発明では、入力領域の第１の方向に延在する複数の第１
電極と、第１の方向に交差する第２の方向に延在する複数の第２電極とを備えた静電容量
型入力装置において、前記入力領域の外側には、前記複数の第１電極から複数の第１端子
まで延在する複数の第１配線と、前記複数の第２電極から複数の第２端子まで延在する複
数の第２配線とが形成され、前記複数の第１配線は、一つの配線と、該一つの配線の両側
に配置され、当該一つの配線と並列している長さの異なる配線とを含み、前記両側の配線
のうち、長さが長い配線は、長さが短い配線に比して、前記一つの配線との間隔が広く、
かつ、当該複数の第１配線の配列方向の両端の配線のうち、一方の配線の外側には、当該
配線との間に寄生容量を生成する第１補助配線が延在し、当該第１補助配線は、定電位が
印加されると共に、前記第１端子および前記第２端子を間に挟む両側に設けられた２つの
端子のうち、一方の端子から前記入力領域、前記複数の第１配線が延在している領域、お
よび前記複数の第２配線が延在している領域の外側に沿って他方の端子まで延在している
ことを特徴とする。
【００１１】
本発明において、複数の配線が並列する配線領域では、隣接する配線間に容量が生成し
ているが、配線領域の端部で延在する配線では、片側のみに、隣接する配線が存在するこ
とから寄生容量が小さい。しかるに本発明では、配線領域の配線の配列方向の端部に沿う
ように、当該端部で延在する配線との間に寄生容量を生成する第１補助配線が延在してい
るため、端部の配線でも、他の配線と同様の容量が寄生する。このため、複数の配線の各
々に寄生する容量が同等であるため、容量変化を正確に検出することができ、検出感度を
向上することができる。
【００１２】
また、本発明において、前記複数の第１配線は、一つの配線と、該一つの配線の両側に
配置され、当該一つの配線と並列している長さの異なる配線とを含み、前記両側の配線の
うち、長さが長い配線は、長さが短い配線に比して、前記一つの配線との間隔が広くなっ
ている。このため、長い配線については、隣接する配線との対向距離が長い分、寄生容量
が大きいが、その分、隣接する配線の間隔を広くしてあるため、寄生容量を小さくするこ
とができる。それ故、複数の配線の各々に寄生する容量を同等にすることができるため、
容量変化を正確に検出することができ、検出感度を向上することができる。また、第１補
助配線は、定電位が印加されると共に、前記第１端子および前記第２端子を間に挟む両側
に設けられた２つの端子のうち、一方の端子から前記入力領域、前記複数の第１配線が延
在している領域、および前記複数の第２配線が延在している領域の外側に沿って他方の端
子まで延在している。このため、第１補助配線を、外部から侵入するノイズの影響を防止
するシールドとして機能させることができるので、容量変化を正確に検出することができ
、検出感度を向上することができる。
【００１３】
本発明において、前記複数の第１配線および前記複数の第２配線の一方または両方にお
いて、当該複数の配線は長さの異なる配線を含み、配線長が長い配線では配線長が短い配
線に比して、少なくとも一部分の幅寸法が広くなっていることが好ましい。すなわち、前
記複数の第１配線は、長さの異なる配線を含み、当該長さの異なる配線において、配線長
が長い配線において配線幅が最小の部分の配線幅寸法は、配線長が短い配線において配線
幅が最小の部分の配線幅寸法に比して広いことが好ましい。このように構成すると、長い
配線については、電気抵抗が大きくなるが、その分、配線の少なくとも一部を幅広にした
ため、複数の配線の電気抵抗が同等である。それ故、容量変化を正確に検出することがで
き、検出感度を向上することができる。
【００１４】
本発明において、前記複数の第１配線において、当該第１配線の配列方向の両端の配線
のうち、他方の配線の外側には、当該配線との間に寄生容量を生成する第２補助配線が延
在していることが好ましい。このように構成すると、第１補助配線および第２補助配線に
よって、配線領域の両端部に位置する配線に寄生容量を付加することができるので、複数
の配線の各々に寄生する容量を同等にすることができる。それ故、容量変化を正確に検出
することができ、検出感度を向上することができる。
【００１５】
本発明においては、例えば、前記複数の第１配線は、前記入力領域の前記複数の第１電
極の一方の端から前記入力領域の端辺に沿うように前記複数の第１端子まで延在し、前記
複数の第１配線の配列方向の両端の配線のうち、前記入力領域とは反対側の配線に前記第
１補助配線が並列し、前記入力領域側の配線に前記第２補助配線が並列している構成を採
用することができる。
【００１６】
本発明において、前記複数の第２配線は、前記表示領域の前記複数の第２電極の両方の
端から前記複数の第２端子まで延在し、前記複数の第２電極の両方の端のうち、一方の端
から延在する前記複数の第２配線は、他方の端から延在する前記複数の第２配線と長さが
異なり、前記両方の端から延在する前記複数の第２配線のうち、前記配線の長さの長い側
の前記複数の第２配線の外側に前記第１補助配線が延在している構成を採用することがで
きる。配線の長さの長い側の複数の第２配線において配線の配列方向の両端の配線のうち
、入力領域側の配線は、第２透光性電極パターンと並列し、第２透光性電極パターンとの
間に寄生容量が生成されているので、入力領域側とは反対側の配線部のみに第１補助配線
を設ければよいことになる。
【００１９】
本発明を適用した静電容量型入力装置を用いて入力機能付き表示装置を構成する場合、前記静電容量型入力装置における入力面とは反対側に画像生成装置が重ねて配置される。
【００２０】
本発明を適用した入力機能付き表示装置は、携帯電話、電子手帳、ＰＯＳ端末などの端末装置などといった電子機器に用いることができる。
【発明を実施するための最良の形態】
【００２１】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００２２】
（全体構成）
図１および図２は各々、本発明を適用した入力機能付き表示装置の構成を模式的に示す説明図、およびこの入力装置付き表示装置の平面的な構成を模式的に示す説明図である。なお、図２において、第１透光性電極パターンおよび第２透光性電極パターンや配線の数などについて減らして示してある。
【００２３】
図１において、本形態の入力機能付き表示装置１００は、概ね、画像生成装置としての液晶装置５０と、この画像生成装置において表示光を出射する側の面に重ねて配置されたパネル状の入力装置１０（タッチパネル）とを有している。液晶装置５０は、透過型、反射型あるいは半透過反射型のアクティブマトリクス型の液晶パネル５０ａを備えており、透過型あるいは半透過反射型の液晶パネルの場合、表示光の出射側とは反対側にバックライト装置（図示せず）が配置される。また、液晶装置５０においては、液晶パネル５０ａに対して位相差板や偏光板（図示せず）が重ねて配置される。液晶パネル５０ａは、素子基板５１と、素子基板５１に対して対向配置された対向基板５２と、対向基板５２と素子基板５１との間に保持された液晶層とを備えており、素子基板５１において、対向基板５２の縁から張り出した領域にはフレキシブル基板５３が接続されている。素子基板５１には駆動用ＩＣがＣＯＧ実装されることもある。いずれの場合も、液晶装置５０は動画や静止画を表示可能であり、入力装置１０に対する入力を行う際、入力情報に対応する指示画像を表示する。従って、利用者は、入力装置１０で表示された指示画像を指で接触すれば、情報の入力を行うことができる。
【００２４】
入力装置１０は静電容量型のタッチパネルであり、透光性基板１５と、この透光性基板１５に後述する粘着剤層（透光性樹脂層）を介して貼り合わされた透光性のカバー基板４０と、透光性基板１５の端部に接続されたフレキシブル基板１９とを備えている。フレキシブル基板１９には、入力装置１０において入力位置の検出を行うための駆動回路（図示せず）が接続されており、フレキシブル基板１９と透光性基板１５との接続領域が、後述する信号入出力領域とされる。入力装置１０においては、カバー基板４０の上面によって入力面１０ｂが構成されており、カバー基板４０の略中央領域が指先による入力が行われる入力領域１０ａになっている。
【００２５】
図２に示すように、透光性基板１５の入力面１０ｂ側の面のうち、入力領域１０ａに相当する領域には、矢印Ｘで示す第１方向に延在する複数列の第１透光性電極パターン１１と、矢印Ｙで示す第１方向に交差する第２方向に延在する複数列の第２透光性電極パターン１２とが形成されている。
【００２６】
このような構成の入力装置１０では、複数の第１透光性電極パターン１１および複数の第２透光性電極パターン１２に順次、電圧印加し、電荷を与えた際、入力領域１０ａにおけるいずれかの箇所に導電体である指が触れると、第１透光性電極パターン１１および第２透光性電極パターン１２と、指との間でも容量を持ち、その結果として静電容量が低下するので、いずれの箇所に指が触れたかを検出することができる。
【００２７】
（入力領域の構成）
図３（ａ）、（ｂ）、（ｃ）は各々、本発明を適用した入力装置に形成した透光性電極パターンの平面的な構成を示す説明図、この入力装置をＡ２−Ａ２′線に相当する位置で切断したときの様子を模式的に示す断面図、および透光性電極パターンと金属配線との接続構造を示す断面図である。なお、図３（ａ）においては、第１透光性電極パターンおよび第２透光性電極パターンの一部を抜粋して示してある。
【００２８】
図１、図２および図３（ａ）、（ｂ）に示すように、本形態の入力装置１０において、第１透光性電極パターン１１と第２透光性電極パターン１２とは透光性基板１５の同一面上に同一層により形成されている。また、入力領域１０ａにおいて、第１透光性電極パターン１１と第２透光性電極パターン１２とは透光性基板１５の同一面上に同一層により形成されているため、第１透光性電極パターン１１と第２透光性電極パターン１２との交差部分１８が複数、存在する。そこで、本形態では、複数の交差部分１８のいずれにおいても、第１透光性電極パターン１１および第２透光性電極パターン１２のうちの一方の電極パターンは、交差部分１８でも繋がっている一方、他方の電極パターンは途切れている構成になっている。本形態では、複数の交差部分１８のいずれにおいても、第１透光性電極パターン１１が繋がっている一方、第２透光性電極パターン１２は途切れている構成になっている。また、第１透光性電極パターン１１および第２透光性電極パターン１２の上層側には、透光性の層間絶縁膜４ｂが入力領域１０ａ略全体、および入力領域１０ａの外側の周辺領域１０ｅに形成され、かかる層間絶縁膜４ｂの上層には、層間絶縁膜４ｂのコンタクトホール４ｃを介して、交差部分１８で途切れている第２透光性電極パターン１２同士を電気的に接続する透光性の中継電極５ａが形成されている。このため、第２透光性電極パターン１２はＹ方向で電気的に接続されている。
【００２９】
第１透光性電極パターン１１および第２透光性電極パターン１２は各々、交差部分１８で挟まれた領域に菱形形状の大面積のパッド部１１ａ、１２ａ（大面積部分）を備えており、第１透光性電極パターン１１において交差部分１８に位置する接続部分１１ｃは、パッド部１１ａより幅の狭い細幅形状になっている。また、中継電極５ａも、パッド部１１ａ、１２ａより幅の狭い細幅形状で短冊状に形成されている。
【００３０】
このように構成した透光性基板１５において、第１透光性電極パターン１１および第２透光性電極パターン１２が形成されている側の面には、入力領域１０ａに粘着剤層３０により透光性のカバー基板４０が貼られている。
【００３１】
また、透光性基板１５において入力領域１０ａの外側領域（周辺領域１０ｅ）には、第１透光性電極パターン１１および第２透光性電極パターン１２の各々に電気的に接続する複数の金属配線９ａが形成されており、これらの金属配線９ａの端部は、フレキシブル基板１９を接続するための端子１９ａを構成している。これらの金属配線９ａは、図２を参照して後述する第１配線９１１〜９１９、および第２配線９２１〜９２６、９２９を構成する。
【００３２】
このように構成した入力装置１０において、本形態では、第１透光性電極パターン１１および第２透光性電極パターン１２が形成されている領域と、第１透光性電極パターン１１および第２透光性電極パターン１２が形成されていない領域との反射率の差に起因して、第１透光性電極パターン１１および第２透光性電極パターン１２の存在が見えてしまい、見栄えを低下させる。そこで、本形態では、かかる見栄えの低下を防止することを目的に、光学干渉を利用した反射防止技術に基づいて、第１透光性電極パターン１１および第２透光性電極パターン１２の材質および厚さを設定してある。光学干渉を利用した反射防止技術とは、入射光が薄膜の表面、および基板と薄膜の界面で反射した際、この表面反射光と界面反射光の位相を逆転させ打ち消しあうことで反射光を軽減する技術である。すなわち、空気層の屈折率（ｎ0）と、薄膜の屈折率（ｎ1）と膜厚（ｄ1）と、基板の屈折率（ｎ2）が、下記の式
（ｎ1）2＝ｎ0×ｎ2
ｎ1×ｄ1＝λ/４
を満たす場合、波長λ（ｎｍ）における反射率が０％となる。このような反射防止技術を利用すれば、第１透光性電極パターン１１および第２透光性電極パターン１２が形成されている領域と、第１透光性電極パターン１１および第２透光性電極パターン１２が形成されていない領域との反射率の差が解消され、第１透光性電極パターン１１および第２透光性電極パターン１２の存在を見えなくできる。そこで、本形態では、第１透光性電極パターン１１および第２透光性電極パターン１２をＩＴＯ膜３ａにより形成し、第１透光性電極パターン１１と透光性基板１５との層間、および第２透光性電極パターン１２と透光性基板１５との層間には、反射防止構造を実現するための多層膜２０が形成されている。かかる多層膜２０としては、例えば、ＩＴＯ膜１ａとシリコン酸化膜２ａとの積層膜などを用いることができる。なお、第１透光性電極パターン１１および第２透光性電極パターン１２はＩＺＯ（Indium Zinc Oxide）膜により形成する場合もある。
【００３３】
（配線の引き回し構造）
再び図２において、本形態では、透光性基板１５において入力領域１０ａの外側の周辺領域１０ｅには、複数の第１透光性電極パターン１１から延在する複数の第１配線９１１〜９１９が第１信号入出力領域９５０まで互いに並列して延在する第１配線領域９５５が形成されている。第１信号入出力領域９５０は、入力領域１０ａに対してＹ方向における一方側に配置され、第１配線領域９５５は、複数個所で屈曲しながら、入力領域１０ａのＸ方向における一方の端辺１０ｓから端辺１０ｓに沿うように第１信号入出力領域９５０まで延在している。このため、本形態では、第１配線領域９５５（第１配線９１１〜９１９）は、周辺領域１０ｅにおいて第１透光性電極パターン１１からＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に向けてＹ方向に直角に折れ曲がった部位９５５ａとを有している。
【００３４】
また、透光性基板１５において入力領域１０ａの外側の周辺領域１０ｅには、複数の第２透光性電極パターン１２から延在する複数の第２配線９２１〜９２６、９２９が第２信号入出力領域９６０まで延在している。第２信号入出力領域９６０も、第１信号入出力領域９５０と同様、入力領域１０ａに対してＹ方向における一方側に配置され、第２信号入出力領域９６０と第１信号入出力領域９５０とは透光性基板１５の基板辺に沿うように直線状に並んでいる。
【００３５】
ここで、入力領域１０ａは、Ｙ方向において第２信号入出力領域９６０側に位置する第１入力領域１０１ａと、Ｙ方向において第２信号入出力領域９６０側とは反対側に位置する第２入力領域１０２ａとに分割され、それに伴って、第２透光性電極パターン１２も、第１入力領域１０１ａと第２入力領域１０２ａとの間で分割されている。このため、複数の第２透光性電極パターン１２から延在する配線の配線領域（第２配線領域）は、２つに分割されており、かかる配線領域のうち、第１入力領域１０１ａから第２信号入出力領域９６０に向けて延在する第２配線９２９が並列する近距離第２配線領域９６１については、第２配線９２９同士が略等しい長さ寸法をもって十分な間隔を空けて延在している。このため、第２配線９２９については配線抵抗および寄生容量がばらついていても、それ自身レベルが低いので、支障がない。
【００３６】
これに対して、第２入力領域１０１ａから第２信号入出力領域９６０に向けて延在する遠距離第２配線領域９６２は、入力領域１０ａに対して第２信号入出力領域９６０側とは反対側に位置する端辺１０ｔから、複数個所で屈曲しながら、入力領域１０ａのＸ方向における端辺１０ｓとは反対側の端辺１０ｕに沿うように第２信号入出力領域９６０まで屈曲しながら延在している。このため、本形態では、遠距離第２配線領域９６２（第２配線９２１〜９２６）は、第２透光性電極パターン１２の延長線上で入力領域１０ａの端辺１０ｔからＹ方向に直線的に延在する部位９６２ｅと、部位９６２ｅから端辺１０ｔに平行にＸ方向に延在する部位９６２ｄと、部位９６２ｄから入力領域１０ａの端辺１０ｕに沿うようにＹ方向に直角に折り曲がって延在する部位９６２ｃと、部位９６２ｃから第２信号入出力領域９６０と入力領域１０ａとによって挟まれた領域に向けてＸ方向に直角に折れ曲がった部位９６２ｂと、部位９６２ｂから第２信号入出力領域９６０に向けてＹ方向に直角に折れ曲がった部位９６２ａとを有している。
【００３７】
（寄生容量および配線抵抗のばらつき対策）
図２を参照して説明したように、第１配線領域９５５は、入力領域１０ａのＸ方向における一方の端辺１０ｓから端辺１０ｓに沿うように第１信号入出力領域９５０まで延在しているため、第１配線領域９５５では、各第１配線９１１〜９１９の長さ寸法が大きく相違し、かつ、配線同士が近接している。それ故、かかる構成のままでは、複数の第１配線９１１〜９１９において、隣接する配線との間に寄生する容量や、配線抵抗が配線毎に大きく相違する。また、第１配線９１１〜９１９のうち、配線の配列方向（第１配線領域９５５の幅方向）の両端部に位置する第１配線９１１、９１９では、片側のみに、隣接する配線が存在することから寄生容量が小さい。
【００３８】
また、遠距離第２配線領域９６２は、入力領域１０ａの端辺１０ｔから端辺１０ｕに沿うように第２信号入出力領域９６０まで延在しており、かかる遠距離第２配線領域９６２では、各第２配線９２１〜９２６の長さ寸法が大きく相違し、かつ、配線同士が近接している。それ故、かかる構成のままでは、複数の第２配線９２１〜９２６において、隣接する配線との間に寄生する容量や、配線抵抗が配線毎に大きく相違する。また、第２配線９２１〜９２６のうち、配線の配列方向（遠距離第２配線領域９６２の幅方向）における外側端部（入力領域１０ａから離れている側の端部）に位置する第２配線９２６では、片側のみに、隣接する配線が存在することから寄生容量が小さい。なお、第２配線９２１〜９２６のうち、内側端部（入力領域１０ａに近い側の端部）に位置する第２配線９２１は、第１透光性電極パターン１１の三角形に分割されたパッド部分の底辺部と並列しているため、遠距離第２配線領域９６２の幅方向における内側を通る第２配線９２２〜９２５に近い寄生容量を備えている。
【００３９】
このような寄生容量の配線毎のばらつきを解消するために、本形態では、まず、第１配線領域９５５の両端部の各々に沿うように、両端部で延在する第１配線９１１、９１９との間に寄生容量を生成する第１補助配線９７１および第２補助配線９７２が延在している。このような第１補助配線９７１および第２補助配線９７２のうち、第１補助配線９７１は、第１配線領域９５５（第１配線９１１〜９１９）と同様、周辺領域１０ｅにおいてＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に隣接する位置に向けてＹ方向に直角に折れ曲がった部位９５５ａとを有している。また、第２補助配線９７２も、第１配線領域９５５（第１配線９１１〜９１９）と同様、周辺領域１０ｅにおいてＸ方向に直線的に延在する部位９５５ｄと、部位９５５ｄから入力領域１０ａの端辺１０ｓに沿うようにＹ方向に直角に折り曲がって延在する部位９５５ｃと、部位９５５ｃから第１信号入出力領域９５０と入力領域１０ａとによって挟まれた領域に向けてＸ方向に直角に折れ曲がった部位９５５ｂと、部位９５５ｂから第１信号入出力領域９５０に隣接する位置に向けてＹ方向に直角に折れ曲がった部位９５５ａとを有している。
【００４０】
また、本形態では、遠距離第２配線領域９６２でも、第１配線領域９５５と同様、外側の端部に沿うように、この端部で延在する第２配線９２６との間に寄生容量を生成する第１補助配線９７１が延在している。従って、第１補助配線９７１は、第２配線領域９６２（第２配線９２１〜９２６）と同様、Ｙ方向に直線的に延在する部位９６２ｅと、部位９６２ｅから端辺１０ｔに平行にＸ方向に延在する部位９６２ｄと、部位９６２ｄから入力領域１０ａの端辺１０ｕに沿うようにＹ方向に直角に折り曲がって延在する部位９６２ｃと、部位９６２ｃから第２信号入出力領域９６０と入力領域１０ａとによって挟まれた領域に向けてＸ方向に直角に折れ曲がった部位９６２ｂと、部位９６２ｂから第２信号入出力領域９６０の側方向に向けてＹ方向に直角に折れ曲がった部位９６２ａとを有している。
【００４１】
ここで、第１補助配線９７１は、第２補助配線９７２に比して入力領域１０ａから遠い位置を通っており、入力領域１０ａを外周側で囲む外周側シールド線を構成している。また、第２補助配線９７２は、第１補助配線９７１と同一電位に保持されており、本形態では、第１補助配線９７１および第２補助配線９７２に定電位（グランド電位）が印加されている。
【００４２】
かかる第１補助配線９７１および第２補助配線９７２を形成するにあたって、具体的には、第１補助配線９７１および第２補助配線９７２を第１配線９１１〜９１９および第２配線９２１〜９２６、９２９の形成と同時に行い、第１信号入出力領域９５０と第２信号入出力領域９６０に並列した端子を介して第１補助配線９７１および第２補助配線９７２を外部と接続し、外部から第１補助配線９７１および第２補助配線９７２にグランド電位を印加する。かかる構成を採用すれば、図３（ｃ）に示す金属配線９ａによって、第１配線９１１〜９１７、および第２配線９２１〜９２６、９２９とともに、第１補助配線９７１および第２補助配線９７２を形成することができる。従って、新たな工程を追加しなくても第１補助配線９７１および第２補助配線９７２を形成できるので、生産性を向上することができる。
【００４３】
また、第１補助配線９７１および第２補助配線９７２を形成するにあたっては、第１補助配線９７１および第２補助配線９７２を第１配線９１１〜９１９および第２配線９２１〜９２６、９２９とは別の層で形成してもよい。例えば、図３（ｃ）に示すように、第１配線９１１〜９１９および第２配線９２１〜９２６、９２９を層間絶縁膜４ｂで覆うとともに、層間絶縁膜４ｂの上層に第１補助配線９７１および第２補助配線９７２形成し、第１信号入出力領域９５０と第２信号入出力領域９６０に並列した端子に層間絶縁膜４ｂの除去領域を介して第１補助配線９７１および第２補助配線９７２を接続してもよい。この場合も、第１補助配線９７１および第２補助配線９７２を端子を介して外部と接続し、外部からグランド電位を印加すればよい。このように構成すると、第１補助配線９７１および第２補助配線９７２が第１配線９１１〜９１９と第２配線９２１〜９２６、９２９と交差するように形成しても短絡することがない。それ故、第１補助配線９７１と第２補助配線９７２とを繋げた構成や、第１補助配線９７１が入力領域１０ａの外周側を全周で囲んだ構成などを実現することができる。第１補助配線９７１と第２補助配線９７２とを繋げた構成を採用すれば、第１補助配線９７１と第２補助配線９７２にグランド電位を印加するための端子の数を減らすことができるなどの利点がある。また、第１補助配線９７１が入力領域１０ａの外周側を全周で囲んだ構成を採用すれば、外部から入力領域１０ａにノイズが侵入することを確実に防止できるという利点がある。
【００４４】
また、本形態では、第１配線領域９５５に形成された第１配線９１１〜９１９は、隣接する配線の間隔が、配線長が長い配線では、配線長が短い配線に比して、長さ方向の少なくとも一部分で広くなっている。本形態では、外側に位置する第１配線９１１から内側に位置する配線に向かって順に配線長が短くなっているので、外側で隣接する配線同士の間隔は、内側で隣接する配線同士の間隔に比して、長さ方向の少なくとも一部分で広くなっている。また、第１配線領域９５５に形成された第１配線９１１〜９１９は、配線長が長い配線では、配線長が短い配線に比して、長さ方向の少なくとも一部分で幅寸法が広くなっている。本形態では、外側に位置する第１配線９１１から内側に位置する配線に向かって順に配線長が短くなっているので、外側に位置する配線は、内側に位置する配線よりも、長さ方向の少なくとも一部分で広くなっている。
【００４５】
また、遠距離第２配線領域９６２に形成された第２配線９２１〜９２６は、隣接する配線の間隔が、配線長が長い配線では、配線長が短い配線に比して、長さ方向の少なくとも一部分で広くなっている。本形態では、内側に位置する第２配線９２１から外側に位置する配線に向かって順に配線長が長くなっているので、外側で隣接する配線同士の間隔は、内側で隣接する配線同士の間隔に比して、長さ方向の少なくとも一部分で広くなっている。また、遠距離第２配線領域９６２に形成された第２配線９２１〜９２６は、配線長が長い配線では、配線長が短い配線に比して、長さ方向の少なくとも一部分で幅寸法が広くなっている。本形態では、内側に位置する第２配線９２１から外側に位置する配線に向かって順に配線長が長くなっているので、外側に位置する配線は、内側に位置する配線よりも、長さ方向の少なくとも一部分で広くなっている。
【００４６】
（第１配線９１１〜９１９の構成例）
かかるルールに基づいて、第１配線９１１〜９１９を構成した例の効果を図４および図５を参照して説明する。
【００４７】
図４は、本発明を適用した入力装置１０に形成した第１配線９１１〜９１９などの構成例を示す説明図である。図４において、左側から右側に向かう第１欄、第２欄、第３欄、第４欄、第５欄、第６欄、第７欄には各々、図２に示す第１配線の符号、図２に示す部位、各部位毎の長さ寸法、各部位毎の幅寸法、内側に位置する第１配線との間隔、寄生容量、配線抵抗を示してあり、寄生容量を示した第６欄において、かっこの数値は、内側に位置する配線との間に寄生する容量の値である。なお、第１配線９１１〜９１９などの長さ寸法や幅寸法は、図２に示す部位９５５ａ〜９５５ｄ毎の値を示してある。
【００４８】
図５は、本発明の参考例に係る入力装置１０に形成した第１配線９１１〜９１９の構成例を示す説明図であり、図２に示す構成において、第１補助配線９７１および第２補助配線９７２を形成せず、全ての第１配線９１１〜９１９の間隔を等しくした例に相当する。なお、図５の第１〜７欄は各々、図４の第１〜７欄に対応する。
【００４９】
なお、図４および図５に示す寄生容量は、配線の周囲を覆う絶縁層の誘電率、配線幅、配線同士の間隔、配線同士の対向長さに基づいて計算した値である。
【００５０】
まず、図４から分るように、第１配線９１１〜９１９において、両側に位置する第１配線９１１、９１９には第１補助配線９７１および第２補助配線９７２が形成され、かつ、第１配線９１１と第１配線９１２の間隔は、部位９５５ｂ、９５５ｃで５５μｍであるのに対して、第１配線９１２と第１配線９１３の間隔は、部位９５５ｂ、９５５ｃで４５μｍになっているなど、隣接する配線の間隔が、配線長が長い配線では、配線長が短い配線に比して、長さ方向の少なくとも一部分で広くなっている。このため、第１配線９１１に寄生する容量値は、第１補助配線９７１と第１配線９１２との容量の和として、４．８８ｐＦであり、他の第１配線９１２〜９１８に寄生する容量値（４．８３〜５．０４ｐＦ）と同等である。また、第１配線９１９に寄生する容量値は、第２補助配線９７２と第１配線９１８との容量の和として、４．８２ｐＦであり、他の第１配線９１２〜９１８に寄生する容量値（４．８３〜５．０４ｐＦ）と同等である。
【００５１】
さらに、第１配線９１１〜９１９において、最も長い第１配線９１１において最も幅が狭い部位の寸法は６５μｍであるのに対して、第１配線９１２において最も幅が狭い部位の寸法は６０μｍであるなど、配線長が長い配線では、配線長が短い配線に比して、長さ方向の少なくとも一部分で幅寸法が広くなっている。このため、第１配線９１１の配線抵抗が３７５Ωであり、他の第１配線９１２〜９１９の電気抵抗（３８９〜５３１Ω）と略同等である。この金属配線のシート抵抗は、０．２Ω／□である。
【００５２】
これに対して、図５から分るように、本発明のルールを適用しなかった場合、例えば、いずれの第１配線９１１〜９１９でも配線間隔を同等とした場合、第１配線９１１〜９１９に寄生する容量値は、４．０１〜１２．８７ｐＦと大きくばらつくが、第１配線９１１〜９１９の配線抵抗については、本参考例でも配線幅を調整しているため、２３３〜３０７Ωと略同等である。
【００５３】
なお、図４および図５を参照して説明した構成は、あくまで一例にあり、本発明の趣旨を逸脱しない範囲で各種の改変を行なってもよい。
【００５４】
（第２配線９２１〜９２６の構成例）
本発明に係るルールに基づいて、第２配線９２１〜９２６を構成した例の効果を図６および図７を参照して説明する。
【００５５】
図６は、本発明を適用した入力装置１０に形成した第２配線９２１〜９２６などの構成
例を示す説明図である。図６において、左側から右側に向かう第１欄、第２欄、第３欄、
第４欄、第５欄、第６欄、第７欄には各々、図２に示す第２配線の符号、図２に示す部位
、各部位毎の長さ寸法、各部位毎の幅寸法、内側に位置する第２配線と間隔、寄生容量、
配線抵抗を示してあり、寄生容量を示した第６欄において、かっこの数値は、外側に位置
する配線との間に寄生する容量の値であり、＊を付した数値は、第２配線９２１と第１透
光性電極パターン１１との間に寄生する容量の値である。なお、第２配線９２１〜９２６
などの長さ寸法や幅寸法は、図２に示す部位９６２ａ〜９６２ｅ毎の値を示してある。
【００５６】
図７は、本発明の参考例に係る入力装置１０に形成した第２配線９２１〜９２６の構成例を示す説明図であり、図２に示す構成において、第１補助配線９７１および第２補助配線９７２を形成せず、全ての第２配線９２１〜９２６の間隔を等しくした例に相当する。なお、図７の第１〜７欄は各々、図６の第１〜７欄に対応する。
【００５７】
なお、図６および図７に示す寄生容量は、配線の周囲を覆う絶縁層の誘電率、配線幅、配線同士の間隔、配線同士の対向長さに基づいて計算した値である。
【００５８】
図６から分るように、第２配線９２１〜９２６において、最も外側に位置する第２配線９２６には第１補助配線９７１が形成され、かつ、第２配線９２６と第２配線９２５の間隔は、部位９６２ｂ、９６２ｃ、９６２ｄで５０μｍであるのに対して、第２配線９２３と第２配線９２２の間隔は、部位９６２ｂ、９６２ｃ，９６２ｄで４５μｍになっているなど、隣接する配線の間隔が、配線長が長い配線では、配線長が短い配線に比して、長さ方向の少なくとも一部分で広くなっている。このため、第２配線９２６に寄生する容量値は、第１補助配線９７１と第２配線９２５との容量の和として、６．２２ｐＦであり、他の第１配線９２２〜９２５に寄生する容量値（６．１４〜６．３１ｐＦ）と同等である。また、第２配線９２１に寄生する容量値は４．６８ｐＦであり、＊を付した数値１．６１ｐF（第２配線９２１と第１透光性電極パターン１１との間に寄生する容量の値）を加味すると６．２９ｐFとなり、他の第２配線９２２〜９２５に寄生する容量値（６．１４〜６．３１ｐＦ）と同等である。
【００５９】
さらに、第２配線９２１〜９２６において、最も長い第２配線９２６において最も幅が狭い部位の寸法は７０μｍであるのに対して、第２配線９２２において最も幅が狭い部位の寸法は６５μｍであるなど、配線長が長い配線では、配線長が短い配線に比して、長さ方向の少なくとも一部分で幅寸法が広くなっている。このため、第２配線９２６の配線抵抗は５１１Ωであり、他の第２配線９２１〜９２５の電気抵抗（４１８〜４８４Ω）と略同等である。
【００６０】
これに対して、図７から分るように、本発明のルールを適用しなかった場合、第２配線９２１〜９２６に寄生する容量値は、９．４１〜２０．６２ｐＦと大きくばらつくが、第２配線９２１〜９２６の配線抵抗については、本参考例でも配線幅を調整しているため３７６〜４２６Ωと略同等である。
【００６１】
なお、図６および図７を参照して説明した構成は、あくまで一例にあり、本発明の趣旨を逸脱しない範囲で各種の改変を行なってもよい。
【００６２】
（本形態の主な効果）
以上説明したように、第１配線領域９５５や遠距離第２配線領域９６２の端部の配線では、片側のみに、隣接する配線が存在することから寄生容量が小さくなる傾向があるが、本形態では、第１配線領域９５５や遠距離第２配線領域９６２の端部に沿うように、第１補助配線９７１および第２補助配線９７２を延在させたため、端部の配線でも、他の配線と同様の容量が寄生する。このため、複数の配線の各々に寄生する容量が同等であるため、容量変化を正確に検出することができ、検出感度を向上することができる。
【００６３】
しかも、第１補助配線９７１によって、入力領域１０ａを外周側で囲むシールド線を構成したため、外部から侵入するノイズの影響を防止することができるので、容量変化を正確に検出することができ、検出感度を向上することができる。
【００６４】
さらに、隣接する配線の間隔や配線幅を配線長の長短によって適正化したため、複数の配線の各々に寄生する容量や配線抵抗が同等である。それ故、容量変化を正確に検出することができ、検出感度を向上することができる。
【００６５】
［その他の実施の形態］
上記形態では、画像生成装置としての液晶装置５０を用いたが、有機エレクトロルミネッセンス装置やプラズマ表示装置を画像生成装置として用いてもよい。
【００６６】
また、上記形態では、遠距離第２配線領域９６２には第１補助配線９７１のみを設けたが、レイアウトなどによっては、遠距離第２配線領域９６２の内周側に第２補助配線９７２も設けてもよい。
【００６７】
また、上記形態では、入力領域１０ａが分割されている例であったが、入力領域１０ａが分割されていない場合でも、配線間に寄生容量や配線抵抗にばらつきがある場合には本発明を適用してもよい。
【００６８】
［電子機器への搭載例］
次に、上述した実施形態に係る入力機能付き表示装置１００を適用した電子機器について説明する。図８（ａ）に、入力機能付き表示装置１００を備えたモバイル型のパーソナルコンピュータの構成を示す。パーソナルコンピュータ２０００は、表示ユニットとしての入力機能付き表示装置１００と本体部２０１０を備える。本体部２０１０には、電源スイッチ２００１及びキーボード２００２が設けられている。図８（ｂ）に、入力機能付き表示装置１００を備えた携帯電話機の構成を示す。携帯電話機３０００は、複数の操作ボタン３００１及びスクロールボタン３００２、並びに表示ユニットとしての入力機能付き表示装置１００を備える。スクロールボタン３００２を操作することによって、入力機能付き表示装置１００に表示される画面がスクロールされる。図８（ｃ）に、入力機能付き表示装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての入力機能付き表示装置１００を備える。電源スイッチ４００２を操作すると、住所録やスケジュール帳といった各種の情報が入力機能付き表示装置１００に表示される。
【００６９】
なお、入力機能付き表示装置１００が適用される電子機器としては、図８に示すものの他、デジタルスチルカメラ、液晶テレビ、カーナビゲーション装置、ページャ、電子手帳、電卓、ワードプロセッサ、ワークステーション、テレビ電話、ＰＯＳ端末などの端末機器等などが挙げられる。
【図面の簡単な説明】
【００７０】
【図１】本発明を適用した入力装置付き表示装置の構成を模式的に示す説明図である。
【図２】本発明を適用した入力装置付き表示装置の平面的な構成を模式的に示す説明図である。
【図３】（ａ）、（ｂ）、（ｃ）は各々、本発明を適用した入力装置に形成した透光性電極パターンの平面的な構成を示す説明図、この入力装置をＡ２−Ａ２′線に相当する位置で切断したときの様子を模式的に示す断面図、および透光性電極パターンと金属配線との接続構造を示す断面図である。
【図４】本発明を適用した入力装置に形成した第１配線の構成例を示す説明図である。
【図５】本発明の参考例に係る入力装置に形成した第１配線の構成例を示す説明図である。
【図６】本発明を適用した入力装置に形成した第２配線の構成例を示す説明図である。
【図７】本発明の参考例に係る入力装置に形成した第２配線の構成例を示す説明図である。
【図８】本発明に係る入力装置付き表示装置を用いた電子機器の説明図である。
【図９】本発明の参考例に係る入力装置付き表示装置の平面的な構成を模式的に示す説明図である。
【符号の説明】
【００７１】
１０・・入力装置、１０ａ・・入力領域、１０ｅ・・周辺領域、１１・・第１透光性電極パターン、１２・・第２透光性電極パターン、１５・・透光性基板、１１ａ、１２ａ・・パッド部（大面積部分）、５０・・液晶装置（画像生成装置）、１００・・入力装置付き表示装置、１０１ａ・・第１入力領域、１０２ａ・・第２入力領域、９１１〜９１９・・第１配線、９２１〜９２６、９２９・・第２配線、９５０・・第１信号入出力領域、９５５・・第１配線領域、９６０・・第２信号入出力領域、９６１・・近距離第２配線領域（第２配線配線領域）、９６２・・遠距離第２配線領域（第２配線配線領域）、９７１・・第１補助配線、９７２・・第２補助配線
【図１】
0004582169.tif 000002
【図２】
0004582169.tif 000003
【図３】
0004582169.tif 000004
【図４】
0004582169.tif 000005
【図５】
0004582169.tif 000006
【図６】
0004582169.tif 000007
【図７】
0004582169.tif 000008
【図８】
0004582169.tif 000009
【図９】
0004582169.tif 000010